(57)【要約】  ディスク装置１００では、ガイドレバー４１１の正面１０Ａ側の先端部にスロット１１側に延出するディスク案内片４１１Ｅが設けられている。そして、このディスク案内片４１１Ｅによりスロット１１から挿入された光ディスク１の先端部をディスク案内片４１１Ｅの面に沿って情報処理部２４から退避させる方向に移動させている。このため、光ディスク１がディスク案内平面に対して傾斜する方向からスロット１１に挿入されても、光ディスク１の挿入先端部を案内面４１１Ｅ１に摺接させることで、光ディスク１を確実に案内部４１１Ａの案内溝に案内させることができ、確実に装置内部に案内することができる。
2007046418.tif 000002
【特許請求の範囲】
【請求項１】
ディスク状記録媒体を出し入れするスリットと、
前記ディスク状記録媒体の周縁部を保持して該ディスク状記録媒体を装置本体内部に案内する案内部を備えたガイドアームと、
前記ガイドアームに、前記スリットに向かって延出して設けられるとともに、前記案内部に前記ディスク状記録媒体の周縁部を摺接させて案内する摺接部を備えたディスク案内片と、
を具備したことを特徴とした搬送装置。
【請求項２】
請求項１に記載の搬送装置であって、
前記ガイドアームは、前記ディスク状記録媒体の径寸法に応じて前記ディスク状記録媒体の搬送方向に対して略平行に移動可能に設けられ、
前記ディスク案内片は、前記ガイドアームの前記スリット側の端部に設けられた
ことを特徴とした搬送装置。
【請求項３】
請求項２に記載の搬送装置であって、
前記スリットの近傍に前記ディスク状記録媒体の情報を処理する情報処理部が設けられ、
前記ディスク案内片は、前記ディスク状記録媒体が挿入されていない状態において前記情報処理部を覆う位置に設けられる
ことを特徴とした搬送装置。
【請求項４】
請求項２または請求項３に記載の搬送装置であって、
前記ディスク案内片は、前記ディスク状記録媒体が情報を処理する情報処理部にて情報処理可能な処理位置に移動されて、前記ガイドアームが前記ディスク状記録媒体の径寸法に応じた位置に移動した際に、前記ディスク状記録媒体に重ならない位置に移動される
ことを特徴とした搬送装置。
【請求項５】
請求項４に記載の搬送装置であって、
前記ディスク案内片は、前記処理位置に移動された状態の前記ディスク状記録媒体の略接線方向に沿って延出して設けられる
ことを特徴とした搬送装置。
【請求項６】
請求項１ないし請求項５のいずれかに記載の搬送装置であって、
前記ディスク案内片は、前記ガイドアームに一体的に設けられた
ことを特徴とした搬送装置。
【請求項７】
請求項１ないし請求項６のいずれかに記載の搬送装置と、
前記ディスク状記録媒体の情報を処理する前記情報処理部と、
前記搬送装置、および前記情報処理部を内部に収納し、前記スリットが設けられた装置本体と、
を具備したことを特徴とした記録媒体駆動装置。
【発明の詳細な説明】
【技術分野】
【０００１】
本発明は、ディスク状記録媒体を挿入排出する搬送装置、および搬送装置が設けられた記録媒体駆動装置に関する。
【背景技術】
【０００２】
従来、ディスク状の記録媒体の挿入および排出の時に、ガイドアームで記録媒体を案内して装置内部に格納させるディスク装置が知られている（例えば、特許文献１参照）。【０００３】
この特許文献１に記載のものは、外装筐体の前面近傍の側面にガイド体と、駆動手段によりディスクの挿入方向にスライドする第１のスライド部材および第２のスライド部材と、これらのスライド部材にディスク面と平行に回動する第１の揺動体および第２の揺動体とが設けられている。そして、ディスクは、第１および第２の揺動体の先端部およびガイド体により、高さ方向と左右方向とを規制されながら装置内部に挿入される。【０００４】
【特許文献１】特開２００３−１６７１０号公報（第８頁、図１ないし図７参照）
【発明の開示】
【発明が解決しようとする課題】
【０００５】
ところで、特許文献１に記載のような従来の構成のディスク再生装置では、ディスクを挿入する際に、ディスク挿入角度によっては第１の揺動体の下方側にディスクが入ってしまうことがある。このような場合、ディスクが詰まって動作不能となったり、第１の揺動体の下方に設けられる部材を損傷したりする虞があるという問題が一例として挙げられる。【０００６】
本発明は、確実にディスクを搬送する搬送装置、および記録媒体駆動装置を提供することを１つの目的とする。
【課題を解決するための手段】
【０００７】
本発明の搬送装置は、ディスク状記録媒体を出し入れするスリットと、前記ディスク状記録媒体の周縁部を保持して該ディスク状記録媒体を装置本体内部に案内する案内部を備えたガイドアームと、前記ガイドアームに、前記スリットに向かって延出して設けられるとともに、前記案内部に前記ディスク状記録媒体の周縁部を前記案内部まで摺接させて案内する摺接部を備えたディスク案内片と、を具備したことを特徴とする。【０００８】
本発明の記録媒体駆動装置は、前述した本発明の搬送装置と、前記ディスク状記録媒体の情報を処理する前記情報処理部と、前記搬送装置、および前記情報処理部を内部に収納し、前記スリットが設けられた装置本体と、を具備したことを特徴とする。
【図面の簡単な説明】
【０００９】
【図１】本発明の一実施形態に係るディスク装置の装置本体内部を示す平面図である。
【図２】大径ディスクがターンテーブルにクランプされた状態におけるディスク装置の装置本体内部を示す平面図である。
【図３】初期状態におけるスロット近傍の断面を模式的に示す断面図である。
【符号の説明】
【００１０】
１…ディスク状記録媒体としての光ディスク
１１…搬送装置を構成するスリットとしてのスロット
２４…情報処理部
１００…記録媒体駆動装置としてのディスク装置
４１１…搬送装置を構成するガイドアームとしてのガイドレバー
４１１Ｅ…ディスク案内片
４１１Ｅ１…摺接部としての案内面
【発明を実施するための最良の形態】
【００１１】
以下、本発明の一実施形態を図面に基づいて説明する。図１は、本発明の一実施形態に係るディスク装置の内部の概略を示す平面図である。図２は、大径ディスクがターンテーブルにクランプされた状態におけるディスク装置の装置本体内部を示す平面図である。【００１２】
［ディスク装置の構成］
図１において、１００は、本発明の一実施形態に係る記録媒体駆動装置としてのディスク装置であり、このディスク装置１００は、着脱可能に装着されるディスク状の記録媒体としての光ディスク１における少なくとも一面に設けられた図示しない記録面に記録された情報を読み出す情報処理である読取処理や記録面へ各種情報を記録する情報処理である記録処理をする。このディスク装置１００は、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよい。また、このディスク装置１００は、光ディスク１として、直径１２ｃｍの大径ディスク１Ａと、直径８ｃｍの小径ディスク１Ｂとを収納することができる。なお、ディスク状記録媒体としては、光ディスク１に限らず、磁気ディスク、光磁気ディスクなどのいずれのディスク状記録媒体を対象とすることができる。そして、ディスク装置１００は、例えば金属製で内部空間を有する略箱形状の装置本体１０を備えて構成されている。なお、この装置本体１０において、図１中下側を装置本体の正面１０Ａ、図１中の装置本体１０の左側壁を左壁１０Ｂ、図１中の装置本体１０の右側壁を右壁１０Ｃ、装置本体１０の正面１０Ａの反対側を背面１０Ｄと適宜称する。【００１３】
装置本体１０の内部には、いわゆるトラバースメカ（Traverse Mechanism）と称されるディスク処理部２０と、光ディスク１を搬送する搬送手段３０と、回路基板としての図示しない制御回路部とが設けられている。そして、装置本体１０の正面１０Ａには、光ディスク１を挿入排出するためのスリットとしてのスロット１１が図１中左右方向に延びて形成されている。【００１４】
ディスク処理部２０は、例えば金属板にて略板状に形成され一端が揺動自在に装置本体１０に支持された台座部２１を有している。この台座部２１は、装置本体１０の左壁１０Ｂの正面１０Ａ側から、中心位置に向かって長手に形成されている。また、台座部２１には、長手方向に沿って、長手状の処理開口部２１Ａが略中央に切欠形成されている。そして、台座部２１の処理開口部２１Ａの一端側、すなわち装置本体１０の略中心位置に、ディスク回転駆動手段２２が配設されている。このディスク回転駆動手段２２は、図示しないスピンドルモータと、このスピンドルモータの出力軸に一体的に設けられたディスク保持部としてのターンテーブル２３とを備えている。スピンドルモータは、制御回路部に制御可能に接続され、制御回路部から供給される電力により駆動する。ターンテーブル２３は、装置本体１０の内部の略中心部に設けられるとともに光ディスク１を回転駆動する駆動部である。【００１５】
また、台座部２１には、処理部としての情報処理部２４が配設されている。この情報処理部２４は、一対のガイドシャフト２５間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップを備えている。【００１６】
搬送手段３０は、装置本体１０に配設された、例えば制御回路部に動作制御される搬送モータ３１と、この搬送モータの駆動により連動するリンク機構部３２とを備えている。【００１７】
リンク機構部３２は、装置本体１０の内部であってスロット１１の左壁１０Ｂ側に設けられたディスクガイド機構４１と、装置本体１０の内部であってスロット１１の右壁１０Ｃ側に設けられたディスク径検知機構４２と、ターンテーブル２３に配置された光ディスク１を排出するディスク排出機構４３と、台座部２１を揺動させる第１の駆動カム４４及び第２の駆動カム４５とを備えている。【００１８】
ディスクガイド機構４１は、光ディスク１の挿入および排出の際にその搬送を案内するガイドアームとしてのガイドレバー４１１と、このガイドレバー４１１の正面１０Ａ側に接続されるディスクガイド４１２と、保護プレートとしてのブリッジプレート４１３と、ブリッジプレート４１３に回動自在に設けられる８ｃｍアーム４１４と、ガイド係合部材としてのプッシュアーム４１６と、を備えている。なお、本発明の搬送装置は、スロット１１およびガイドレバー４１１にて構成されている。【００１９】
ガイドレバー４１１は、光ディスク１の搬送方向に長手状に形成される棒状部材である。このガイドレバー４１１の側面には、内方側（光ディスク１が挿入される側）に、光ディスク１の搬送方向への移動を案内する合成樹脂製の案内部４１１Ａが固定されている。この案内部４１１Ａは、左壁１０Ｂ側に向かって凹状となる案内溝が形成されており、光ディスク１の周縁をこの案内溝に摺接させて案内する。また、このガイドレバー４１１の側面は、案内部４１１Ａに続く背面１０Ｄ側が、内方に向かって湾曲した形状に形成されており、光ディスク１の移動を規制している。さらに、案内部４１１Ａには、底部側に突出する係合部としての回動規制ピン４１１Ｃが形成されている。この回動規制ピン４１１Ｃは、ガイドレバー４１１のディスクガイド４１２側、すなわち正面１０Ａ側で、かつガイドレバー４１１が小径ディスク１Ｂに対応した位置に移動した際に、台座部２１と干渉しない位置に設けられている。【００２０】
また、ガイドレバー４１１の背面１０Ｄ側の端部には、天面側から底面側に貫通するガイドピン４１１Ｂが固定されている。このガイドピン４１１Ｂは、後述するブリッジプレート４１３および８ｃｍアーム４１４に係止されている。また、ガイドレバー４１１の正面１０Ａ側端部は、ディスクガイド４１２が回動自在に接続されている。【００２１】
さらに、ガイドレバー４１１の正面１０Ａ側の端部には、左壁１０Ｂに対向して板ばね４１１Ｄが設けられている。この板ばね４１１Ｄは、ガイドレバー４１１が左壁１０Ｂ側に移動した際に、このガイドレバー４１１とディスクガイド４１２との接続部を内方側に付勢する。これにより、ガイドレバー４１１およびディスクガイド４１２の接続部が外方側に屈折することを防止している。【００２２】
そして、ガイドレバー４１１の正面１０Ａ側の先端部には、例えばＰＰ（Poly Propylene）などの合成樹脂製のディスク案内片４１１Ｅが設けられている。このディスク案内片４１１Ｅは、図１に示すようなガイドレバー４１１が正面１０Ａ側に移動した状態（初期位置）において、情報処理部２４を覆うように、ガイドレバー４１１の長手方向に対して所定の角度だけ傾斜してスロット１１の略中心位置に向かって取付けられている。ここで、所定の角度とは、図２に示すように大径ディスク１Ａが装置内部に装着され、ガイドレバー４１１が左壁１０Ｂ側に移動した際に、大径ディスク１Ａのディスク面に重ならず、かつ大径ディスク１Ａの周縁に略沿う状態に配置される角度である。【００２３】
また、ディスク案内片４１１Ｅは、ガイドレバー４１１の先端部の底面側に設けられ、天面側に平面状の摺接部としての案内面４１１Ｅ１が形成されている。この案内面４１１Ｅ１は、案内部４１１Ａが光ディスク１を案内する平面（以降、ディスク案内平面と称す）と略平行に形成されている。そして、ディスク案内片４１１Ｅは、光ディスク１が底面側に傾斜する状態でスロット１１から挿入された際に、案内面４１１Ｅ１が光ディスク１の一端部に摺接することで、光ディスク１を案内部４１１Ａの案内溝に案内誘導する。すなわち、光ディスク１をスロット１１の下方に設けられる情報処理部２４から退避する方向に案内して、光ディスク１が情報処理部２４に当接することを防止している。【００２４】
ディスクガイド４１２は、長手状に形成され、一端部が装置本体１０の左壁１０Ｂ近傍に回動可能に取り付けられている。また、ディスクガイド４１２の他端部は前記したように、ガイドレバー４１１の一端部に回動可能に接続されている。これにより、ガイドレバー４１１の正面１０Ａ側端部は、ディスクガイド４１２の一端部を回動中心とし、ディスクガイド４１２の長さ寸法を径とした円弧上を回動運動可能となる。また、ディスクガイド４１２の底面側には、内方に突出するフランジ部４１２Ａが形成されており、このフランジ部４１２Ａに沿って、光ディスク１が挿入される際に光ディスク１の周縁部が摺接される摺接面４１２Ｂが形成されている。さらに、ディスクガイド４１２およびガイドレバー４１１の接続部は、光ディスク１を排出する際に、光ディスク１の周縁を正面１０Ａ側に押出す押出部４１２Ｃとなっている。【００２５】
ブリッジプレート４１３は、装置本体１０の背面１０Ｄ側に左右方向に亘って設けられる板状部材である。このブリッジプレート４１３は、前述した制御回路部の上方に覆うように設けられ、この制御回路部を保護している。そして、ブリッジプレート４１３の左壁１０Ｂ側には、装置本体１０の背面１０Ｄ側角部から内部中心位置に向かって案内ガイド部としての案内ガイド溝４１５が形成されている。【００２６】
この案内ガイド溝４１５は、前記ガイドレバー４１１およびディスクガイド４１２の接続部の回動軌跡と略平行する形状に形成される第一案内部としての円弧溝４１５Ａと、この円弧溝４１５Ａに連続して光ディスク１の搬送方向に略沿って伸びる第二案内部としての直線溝４１５Ｂと、この直線溝４１５Ｂに連続して形成されるとともに、直線溝４１５Ｂに対して所定の角度だけ装置本体１０の中心位置方向に傾斜する第二案内部としての傾斜溝４１５Ｃとを備えている。そして、この案内ガイド溝４１５には、ガイドレバー４１１の底面側に突出するガイドピン４１１Ｂが係止され、ガイドレバー４１１の移動を案内している。ここで、この直線溝４１５Ｂは、ターンテーブル２３から直線溝４１５Ｂの延長線上に下ろした垂線の長さが小径ディスク１Ｂの半径と略同一寸法となるように設定されている。【００２７】
また、ブリッジプレート４１３の右壁１０Ｃ側には、８ｃｍアーム４１４が回動可能に軸支されている。さらに、ブリッジプレート４１３の中心部および右壁１０Ｃ側には、８ｃｍアーム４１４の軸支位置を中心とした円弧状のアーム規制溝４１３Ａが形成され、８ｃｍアーム４１４の回動範囲を規制している。【００２８】
そして、ブリッジプレート４１３の右壁１０Ｃ側には、後述するディスク排出機構４３のアシストアーム４３１が回動可能に軸支され、このアシストアーム４３１の回動中心とした円弧状のアシスト規制溝４１３Ｂが形成されている。また、ブリッジプレート４１３の略中心には、アシストアーム４３１に噛合するイジェクトアーム４３２が回動可能に軸支されている。さらに、ブリッジプレート４１３の正面１０Ａ側には、左右方向に長手となる制御溝４１３Ｃが形成されている。【００２９】
さらには、ブリッジプレートの左壁１０Ｂ側には、ブリッジプレート４１３およびガイドレバー４１１の間にプッシュアーム４１６が回動可能に軸支されている。このプッシュアーム４１６は、長手状に形成され長手一端部から軸支位置に向かってピン係止溝４１６Ａが形成されている。このピン係止溝４１６Ａには、ガイドレバー４１１のガイドピン４１１Ｂが案内ガイド溝４１５の円弧溝４１５Ａを移動する際に、案内部４１１Ａに形成された回動規制ピン４１１Ｃが挿通される。そして、ガイドレバー４１１がさらに左壁１０Ｂ側に移動して、回動規制ピン４１１Ｃによりピン係止溝４１６Ａが押されると、プッシュアーム４１６が左壁１０Ｂ側に回動する。また、プッシュアーム４１６の右壁１０Ｃ側には、下方側に突出する押え片４１６Ｂが形成されている。この押え片４１６Ｂは、プッシュアーム４１６が左壁１０Ｂ側に回動した際に、後述するスライドストッパ４２４のプッシュストッパ４２４Ｄが当接されることによりプッシュアーム４１６の回動が規制され、ガイドレバー４１１を左壁１０Ｂ側に移動させた状態で保持する。また、プッシュアーム４１６の先端部には、ブリッジプレート４１３との間にプッシュアーム付勢ばね４１６Ｃが設けられている。このプッシュアーム付勢ばね４１６Ｃは、プッシュアーム４１６を内方側、すなわち左壁１０Ｂから離れる方向に付勢しており、スライドストッパ４２４が押え片４１６Ｂから離れると、プッシュアーム４１６を内方側に回動させる。【００３０】
８ｃｍアーム４１４は、前述したように、ブリッジプレート４１３の右壁１０Ｃ側に回動可能に軸支されている。また、８ｃｍアーム４１４は、底部側に突出するアーム規制ピン４１４Ａを備えており、このアーム規制ピン４１４Ａがブリッジプレート４１３のアーム規制溝４１３Ａに係止されている。さらに、８ｃｍアーム４１４の先端部には、この８ｃｍアーム４１４の長手に沿って形成されるガイドリンク溝４１４Ｂが形成されている。このガイドリンク溝４１４Ｂには、ガイドレバー４１１の天面側に突出するガイドピン４１１Ｂが係止されている。そして、８ｃｍアーム４１４の軸支位置近傍には、８ｃｍアーム４１４の左壁１０Ｂ側先端部を正面１０Ａ側に付勢するアーム付勢ばね４１４Ｃが設けられている。このアーム付勢ばね４１４Ｃにより８ｃｍアーム４１４は常に反時計周り方向に付勢されている。そして、この８ｃｍアーム４１４によりガイドレバー４１１は、ガイドピン４１１Ｂが案内ガイド溝４１５の傾斜溝４１５Ｃの先端部に位置する初期状態に戻るように付勢されている。【００３１】
ディスク径検知機構４２は、スロット１１に挿入された光ディスク１が大径ディスク１Ａである場合はディスクガイド機構４１のガイドレバー４１１の移動規制を解除し、光ディスク１が小径ディスク１Ｂである場合にはガイドレバー４１１の移動を規制するものである。【００３２】
具体的には、ディスク径検知機構４２は、一端部が光ディスク１と当接するとともに他端部側が装置本体１０に回動自在とされた検出手段としてのロードアーム４２１と、このロードアーム４２１に連結されロードアーム４２１の回動角度が大きい場合にガイドレバー４１１の移動規制を解除しロードアーム４２１の回動角度が小さい場合にはガイドレバー４１１の移動を規制するアームリンク機構４２２とを備えている。【００３３】
ロードアーム４２１は、一端部に光ディスク１の周縁部に当接するローラ状の当接部４２１Ａが設けられ他端部が装置本体１０に回動自在に支持されている。このロードアーム４２１は、細長い矩形状の板部材で形成されており、その長手方向に沿ってガイド溝４２１Ｂが形成されている。また、ロードアーム４２１は、図示しない付勢手段により、図１に示すような初期位置に戻るように、時計回り方向に付勢されている。【００３４】
アームリンク機構４２２は、ガイド溝４２１Ｂに案内される突起４２３Ａが一端部に設けられた略平板状のリンクアーム４２３と、このリンクアーム４２３と一端部が連結された略平板状の規制手段としてのスライドストッパ４２４とを備えている。【００３５】
ロードアーム４２１及びリンクアーム４２３は、装置本体１０内の右壁１０Ｃ側にあり、かつ、ディスクガイド機構４１のガイドレバー４１１およびディスクガイド４１２が配置された平面と略同じ平面内に配置されている。【００３６】
リンクアーム４２３は、他端側において、装置本体１０に固定された回動軸４２３Ｂに対して回動自在に支持されており、回動軸４２３Ｂを挟んで突起４２３Ａと対向する位置に係合突起４２３Ｃがリンクアーム４２３に形成されている。また、リンクアーム４２３の係合突起４２３Ｃが設けられる端部には、図示しない付勢部材が設けられ、右壁１０Ｃ側に付勢している。これにより、ロードアーム４２１は、内方側、すなわち時計回りに付勢されている。【００３７】
スライドストッパ４２４は、ターンテーブル２３より背面１０Ｄ側において、ブリッジプレート４１３の底面部側に、図中左右方向に移動可能に配置されており、その右端部に係合突起４２３Ｃに当接するとともに、光ディスク１の搬送方向に対して傾斜する傾斜当接部４２４Ａが形成されている。そして、光ディスク１として大径ディスク１Ａが挿入され、ロードアーム４２１が回動すると、リンクアーム４２３も回動されて係合突起４２３Ｃが正面１０Ａ側に移動し、この係合突起４２３Ｃに当接する傾斜当接部４２４Ａが押されるため、スライドストッパ４２４が右壁１０Ｃ側にスライド移動する。また、スライドストッパ４２４には、ブリッジプレート４１３のアーム規制溝４１３Ａの一部を閉塞可能な規制ストッパ４２４Ｂが設けられている。この規制ストッパ４２４Ｂは、上記の如くロードアーム４２１が回動してスライドストッパ４２４が右壁１０Ｃ側に移動すると、アーム規制溝４１３Ａを開放して８ｃｍアーム４１４のアーム規制ピン４１４Ａが移動可能な状態となる。一方、ロードアーム４２１が初期位置に戻り、スライドストッパ４２４が初期位置に戻ると、アーム規制溝４１３Ａを閉塞してアーム規制ピン４１４Ａが移動できない状態となる。これにより、８ｃｍアーム４１４に連結されたガイドレバー４１１の回動も規制される。これにより、ガイドレバー４１１も左壁１０Ｂ側に移動可能となる。【００３８】
また、スライドストッパ４２４の正面１０Ａ側には、第２の駆動カム４５と連結可能なカム連動溝４２４Ｃが形成されている。これにより、第２の駆動カム４５が移動すると、スライドストッパ４２４も左右方向に移動する。そして、スライドストッパ４２４の左壁１０Ｂ側には、プッシュストッパ４２４Ｄが設けられている。このプッシュストッパ４２４Ｄは、第２の駆動カム４５の移動によりスライドストッパ４２４が左壁１０Ｂ側に移動すると、プッシュアーム４１６の押え片４１６Ｂに当接され、プッシュアーム４１６の回動を規制する。【００３９】
さらに、スライドストッパ４２４の略中心位置には、イジェクト規制窓４２４Ｅが開口形成されている。このイジェクト規制窓４２４Ｅは、左右方向に伸びる大径ディスク用イジェクト規制溝４２４Ｅ１と、小径ディスク用イジェクト規制溝４２４Ｅ２とを備えている。これらの大径ディスク用イジェクト規制溝４２４Ｅ１、および小径ディスク用イジェクト規制溝４２４Ｅ２には、第２の駆動カム４５の移動によりスライドストッパ４２４が左壁１０Ｂ側に移動すると、後述するアシストアーム４３１のイジェクト規制ピン４３１Ａが係合され、アシストアーム４３１の回動を規制する。また、これらの大径ディスク用イジェクト規制溝４２４Ｅ１、および小径ディスク用イジェクト規制溝４２４Ｅ２は端部がターンテーブル２３から離れる方向に傾斜して形成されており、イジェクト規制ピン４３１Ａがこの傾斜部に係合されることで、イジェクトアーム４３２と光ディスク１との間にクリアランスを確保することが可能となる。【００４０】
ディスク排出機構４３は、光ディスク１をスロット１１に押出して排出する機構である。このディスク排出機構４３は、アシストアーム４３１と、イジェクトアーム４３２とを備えている。【００４１】
アシストアーム４３１は、前述したように、ブリッジプレート４１３右壁１０Ｃ側に回動自在に設けられ、アシスト規制溝４１３Ｂに係合するイジェクト規制ピン４３１Ａを備えている。これにより、アシストアーム４３１は、アシスト規制溝４１３Ｂ内で回動範囲が規制されている。また、このイジェクト規制ピン４３１Ａは前記したように、イジェクト規制窓４２４Ｅに挿通されており、スライドストッパ４２４が移動して、大径ディスク用イジェクト規制溝４２４Ｅ１、または小径ディスク用イジェクト規制溝４２４Ｅ２に係合されることで、アシストアーム４３１の回動が規制される。さらに、アシストアーム４３１の左壁１０Ｂ側の一端部には、歯車４３１Ｂが形成されている。このアシストアーム４３１は図示しない付勢部材により反時計周り方向、すなわち歯車４３１Ｂが正面１０Ａ側に向かう方向に付勢されている。【００４２】
イジェクトアーム４３２は、前述したようにブリッジプレート４１３に回動可能に設けられ、ブリッジプレート４１３を挟んで底面側に位置する歯車部４３２Ａと、ブリッジプレート４１３の天面側に位置する長手状のアーム部４３２Ｂと、を備えている。歯車部４３２Ａは、アシストアーム４３１の歯車４３１Ｂに噛合しており、アシストアーム４３１の付勢力により、時計回り方向に付勢されている。この付勢力によりアーム部４３２Ｂが時計回り方向、すなわち光ディスク１をスロット１１に押し出す方向に付勢されている。また、アーム部４３２Ｂの先端部には、光ディスク１の周縁と当接するローラ状の当接部４３２Ｃが設けられている。さらに、イジェクトアーム４３２の回動中心に対してアーム部４３２Ｂとは反対側には、アーム制御突起４３２Ｄが形成されている。このアーム制御突起４３２Ｄは、イジェクトアーム４３２が回動すると、８ｃｍアーム４１４の側縁に当接する。【００４３】
第１の駆動カム４４及び第２の駆動カム４５には、それぞれ係合溝（図示せず）が形成されており、これらの係合溝に台座部２１の２つの側面に形成された係合カム突起（図示せず）がそれぞれ係合される。第１の駆動カム４４及び第２の駆動カム４５は、略長尺状に形成されており、図示しないモータ及び歯車機構により長手方向に沿って進退される。これにより、台座部２１はターンテーブル２３に装着された光ディスク１の記録面に近接離隔するように揺動される。【００４４】
リンクアーム４２３と第１の駆動カム４４とには、光ディスク１が大径ディスク１Ａである場合にターンテーブル２３へ送る光ディスク１の送り量を小さくし、光ディスク１が小径ディスク１Ｂである場合にターンテーブル２３へ送る光ディスク１の送り量を大きくするディスク送り用カム部５１が設けられている。【００４５】
このディスク送り用カム部５１は、リンクアーム４２３に設けられた突起部５２と、この突起部５２と係合され第１の駆動カム４４に形成されたカム溝５３とを備えている。【００４６】
カム溝５３は、大径ディスク１Ａを送るための第１カム溝５３Ａと、小径ディスク１Ｂを送るための第２カム溝５３Ｂと、これらの第１カム溝５３Ａ及び第２カム溝５３Ｂとの一端部で合流される共通カム溝５３Ｃとを備えて構成されている。第１カム溝５３Ａと第２カム溝５３Ｂとは、それぞれ第１の駆動カム４４の移動方向に延びて形成されている。【００４７】
第２の駆動カム４５は、第１の駆動カム４４に連結されており、この第１の駆動カム４４の進退移動に連動して左右方向に進退移動する。そして、光ディスク１の中心がターンテーブル２３の上に位置することを図示しないセンサが検出すると、第１の駆動カム４４が背面１０Ｄ側に移動して、第２の駆動カム４５が左壁１０Ｂ側に移動する。この第２の駆動カム４５の移動により、台座部２１は光ディスク１の記録面に対して近接し、ターンテーブル２３に対して光ディスク１がクランプされる。この状態で、ターンテーブル２３が回転し、光ディスク１に情報が記録及び／又は再生される。【００４８】
〔ディスク装置の動作〕
次に上記ディスク装置１００の動作について、図１および図３に基づいて説明する。図３は、スロットに光ディスクを挿入した際のスロット近傍の断面を模式的に示した断面図である。【００４９】
（光ディスクの挿入）
図１に示すような初期状態のディスク装置１００に光ディスク１を挿入する際のディスク装置１００の動作を説明する。【００５０】
スロット１１から光ディスク１をターンテーブル２３と略平行するように挿入すると、光ディスク１はガイドレバー４１１の案内部４１１Ａに当接し、案内部４１１Ａの案内溝に沿って真っ直ぐ装置内部に挿入される。【００５１】
一方、図３に示すように、光ディスク１をディスク案内平面に対して傾斜する角度でスロット１１から挿入すると、光ディスク１はディスク案内片４１１Ｅに当接する。そして、このディスク案内片４１１Ｅに沿って光ディスク１の先端部がガイドレバー４１１の案内部４１１Ａまで案内される。この時、ディスク案内片４１１Ｅは、ディスク案内平面と略平行する平板状に形成されているため、光ディスク１は、ディスク案内片４１１Ｅに沿って移動する間にディスク案内平面と略平行する角度に姿勢が修正され、ガイドレバー４１１の案内部４１１Ａに案内される。【００５２】
〔ディスク装置の作用効果〕
上述したように、上記一実施形態のディスク装置１００では、ガイドレバー４１１の正面１０Ａ側の先端部にスロット１１側に延出するディスク案内片４１１Ｅが設けられている。そして、このディスク案内片４１１Ｅによりスロット１１から挿入された光ディスク１の先端部をディスク案内片４１１Ｅの面に沿って情報処理部２４から退避させる方向に移動させている。このため、光ディスク１がディスク案内平面に対して傾斜する方向からスロット１１に挿入されても、光ディスク１の挿入先端部を案内面４１１Ｅ１に摺接させることで、挿入角度をディスク案内平面と略平行になるように姿勢を修正することができる。したがって、光ディスク１を確実に案内部４１１Ａの案内溝に案内させることができ、確実に装置内部に収納させることができる。また、光ディスク１の挿入先端部が情報処理部２４に当接したり、ガイドレバー４１１および台座部２１の間に挟まったりしないので、情報処理部２４や光ディスク１の損傷を防止できる。【００５３】
また、ディスク案内片４１１Ｅがスロット１１の略中心に向かって、情報処理部２４を覆って延出している。このため、このようなスロット１１近傍に情報処理部２４が設けられる薄型スロットインタイプのディスク装置１００でも、ディスク案内片４１１Ｅにより情報処理部２４に光ディスク１の挿入先端部が当接することを防止できる。したがって、情報処理部２４に光ディスク１が当接することによる損傷を防止できる。【００５４】
さらに、ディスク案内片４１１Ｅは、ガイドレバー４１１の正面１０Ａ側の端部に設けられている。このため、ディスク案内片４１１Ｅは、スロット１１に最も近い位置に設けられているので、挿入される光ディスク１を確実に案内することができる。【００５５】
また、ディスク案内片４１１Ｅは、大径ディスク１Ａが装置内部に装着され、ガイドレバー４１１が左壁１０Ｂ側に移動した際に、大径ディスク１Ａのディスク面に重ならず、かつ大径ディスク１Ａの周縁に略沿う方向に位置する角度でガイドレバー４１１に設けられている。このため、ディスク案内片４１１Ｅは、大径ディスク１が装着された際に、大径ディスク１に重ならない位置に配置されるため、情報処理部２４による情報処理の動作を阻害することがない。また、大径ディスク１の周縁に沿った位置に配置することで、ディスク案内片４１１Ｅのガイドレバー４１１の長手方向に対する傾斜角度を大きくすることができる。したがって、ディスク案内片４１１Ｅの延出寸法を長くすることができ、光ディスク１がディスク案内片４１１Ｅにて案内可能な範囲が大きくなる。よって、ディスク案内片４１１Ｅにてより確実に光ディスク１を案内することができ、確実に光ディスク１を装置内部のディスク案内平面に案内することができる。【００５６】
〔実施形態の変形〕
なお、本発明は、上述した一実施形態に限定されるものではなく、本発明の目的を達成できる範囲で以下に示される変形をも含むものである。【００５７】
すなわち、上記実施形態では、合成樹脂製のディスク案内片４１１Ｅがガイドレバー４１１の正面１０Ａ側の先端部に取付けられた構成を示したが、これに限らない。例えばディスク案内片４１１Ｅは、ガイドレバー４１１に一体的に設けられていてもよい。このような構成では、ガイドレバー４１１の製造工程を簡略化でき、生産コストをも低減できる。【００５８】
また、上記実施形態では、ガイドレバー４１１にディスク案内片４１１Ｅが設けられた構成を示したが、例えばロードアーム４２１の先端部に設けられた構成としてもよい。この場合でも、上記実施形態と同様に、ディスク案内片４１１Ｅにより光ディスク１がディスク案内平面に対して傾斜した角度で挿入されても、ディスク案内平面上に案内することができる。【００５９】
さらに、上記実施形態では、ディスク案内片４１１Ｅがガイドレバー４１１の正面１０Ａ側の端部に設けられた構成を示したが、これに限らない。例えば、ディスク案内片４１１Ｅは、ガイドレバー４１１の先端部から離れた略中間位置に設けられていてもよい。ただし、光ディスク１がターンテーブル２３にクランプされる際に、光ディスク１に重ならない状態に位置する必要がある。この場合、例えばディスク案内片４１１Ｅをガイドレバー４１１に対して回動可能に設け、光ディスク１がターンテーブル２３にクランプされた状態では、ディスク案内片４１１Ｅが光ディスク１に重ならない位置に回動する構成とすればよい。【００６０】
また、ディスク案内片４１１Ｅは、ガイドレバー４１１の長手方向に対して所定の角度だけ傾斜して設けられる構成をしめしたが、この角度としては、特に限定されない。すなわち、光ディスク１がターンテーブルにクランプされた状態において、ディスク案内片４１１Ｅが光ディスク１に重ならない位置にあればいかなる傾斜角度に設けられていてもよい。【００６１】
さらに、スロット１１の下方に情報処理部２４が設けられる薄型スロットインタイプのディスク装置１００に限られず、例えば、情報処理部が装置の奥側に設けられるディスク装置など、その他のスロットインタイプのディスク装置１００に設けられるものであってもよい。
そして、上記実施形態において、光ディスク１を挿入するディスク装置１００について説明したが、これに限定されない。例えば、ディスク状記録媒体としては、例えば磁気ディスクなどを利用したものであってもよい。【００６２】
その他、本発明の実施の際の具体的な構造は、本発明の目的を達成できる範囲で他の構造などに適宜変更できる。【００６３】
〔実施形態の効果〕
上記一実施形態のディスク装置１００では、ガイドレバー４１１の正面１０Ａ側の先端部にスロット１１側に延出するディスク案内片４１１Ｅが設けられている。そして、このディスク案内片４１１Ｅによりスロット１１から挿入された光ディスク１の先端部をディスク案内片４１１Ｅの面に沿って情報処理部２４から退避させる方向に移動させている。このため、光ディスク１がディスク案内平面に対して傾斜する方向からスロット１１に挿入されても、光ディスク１の挿入先端部を案内面４１１Ｅ１に摺接させることで、光ディスク１を確実に案内部４１１Ａの案内溝に案内させることができ、確実に装置内部に案内することができる。
【産業上の利用可能性】
【００６４】
本発明は、ディスク状記録媒体を挿入排出する搬送装置、および搬送装置が設けられた記録媒体駆動装置に利用できる。
【図１】
2007046418.tif 000003
【図２】
2007046418.tif 000004
【図３】
2007046418.tif 000005
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
ディスク状記録媒体を出し入れするスリットと、
前記ディスク状記録媒体の周縁部を保持して該ディスク状記録媒体を装置本体内部に案内する案内部を備えたガイドアームと、
前記ガイドアームに、当該ガイドアームの前記スリット側端部の底面側に前記スリットの略中心に向かって延出して設けられるとともに、前記案内部に前記ディスク状記録媒体の周縁部を摺接させて案内する摺接部を備えたディスク案内片と、
前記ディスク状記録媒体が挿入されていない状態において前記スリットの近傍に設けられ、前記ディスク状記録媒体の情報を処理する情報処理部と、
を具備し、
前記ガイドアームは、前記ディスク状記録媒体の径寸法に応じて前記ディスク状記録媒体の搬送方向に対して略平行に移動可能に設けられ、
前記ディスク案内片は、前記ディスク状記録媒体が挿入されていない状態において、前記情報処理部を覆うとともにその先端が前記情報処理部よりも前記スリット側に設けられたことを特徴とした搬送装置。
【請求項２】
（削除）
【請求項３】
（削除）
【請求項４】
請求項１に記載の搬送装置であって、
前記ディスク案内片は、前記ディスク状記録媒体が情報を処理する情報処理部にて情報処理可能な処理位置に移動されて、前記ガイドアームが前記ディスク状記録媒体の径寸法に応じた位置に移動した際に、前記ディスク状記録媒体に重ならない位置に移動される
ことを特徴とした搬送装置。
【請求項５】
請求項４に記載の搬送装置であって、
前記ディスク案内片は、前記処理位置に移動された状態の前記ディスク状記録媒体の略接線方向に沿って延出して設けられる
ことを特徴とした搬送装置。
【請求項６】
請求項１、請求項４、または請求項５に記載の搬送装置であって、
前記ディスク案内片は、前記ガイドアームに一体的に設けられた
ことを特徴とした搬送装置。
【請求項７】
請求項１、または請求項４ないし請求項６のいずれかに記載の搬送装置と、
前記ディスク状記録媒体の情報を処理する前記情報処理部と、
前記搬送装置、および前記情報処理部を内部に収納し、前記スリットが設けられた装置本体と、
を具備したことを特徴とした記録媒体駆動装置。
【手続補正２】
【補正対象書類名】明細書
【補正対象項目名】０００２
【補正方法】変更
【補正の内容】
【０００２】
案内部を備えたガイドアームと、前記ガイドアームに、当該ガイドアームの前記スリット側端部の底面側に前記スリットの略中心に向かって延出して設けられるとともに、前記案内部に前記ディスク状記録媒体の周縁部を前記案内部まで摺接させて案内する摺接部を備えたディスク案内片と、前記ディスク状記録媒体が挿入されていない状態において前記スリットの近傍に設けられ、前記ディスク状記録媒体の情報を処理する情報処理部と、を具備し、前記ガイドアームは、前記ディスク状記録媒体の径寸法に応じて前記ディスク状記録媒体の搬送方向に対して略平行に移動可能に設けられ、前記ディスク案内片は、前記ディスク状記録媒体が挿入されていない状態において、前記情報処理部を覆うとともにその先端が前記情報処理部よりも前記スリット側に設けられたことを特徴とする。
［０００８］
本発明の記録媒体駆動装置は、前述した本発明の搬送装置と、前記ディスク状記録媒体の情報を処理する前記情報処理部と、前記搬送装置、および前記情報処理部を内部に収納し、前記スリットが設けられた装置本体と、を具備したことを特徴とする。
図面の簡単な説明
［０００９］
［図１］本発明の一実施形態に係るディスク装置の装置本体内部を示す平面図である。
［図２］大径ディスクがターンテーブルにクランプされた状態におけるディスク装置の装置本体内部を示す平面図である。
［図３］初期状態におけるスロット近傍の断面を模式的に示す断面図である。
符号の説明
［００１０］
１…ディスク状記録媒体としての光ディスク
１１…搬送装置を構成するスリットとしてのスロット
２４…情報処理部
１００…記録媒体駆動装置としてのディスク装置
４１１…搬送装置を構成するガイドアームとしてのガイドレバー
４１１Ｅ…ディスク案内片
４１１Ｅ１…摺接部としての案内面
［００１１］
以下、本発明の一実施形態を図面に基づいて説明する。図１は、本発明の一実施形態に係るディスク装置の内部の概略を示す平面図である。図２は、大径ディスクがターンテーブルにクランプされた状態におけるディスク装置の装置本体内部を示す平面図である。
［００１２］
［ディスク装置の構成］
【国際調査報告】
2007046418.tif 000006
2007046418.tif 000007
2007046418.tif 000008